(57)【要約】  【課題】  重量のある大型の薄型表示装置のシャーシ構造を補強して、２本脚のテーブルスタンド支柱により自立させることを可能にする。  【解決手段】  前面に表示用の部材を配し背面に表示装置の駆動及び制御のためのユニットを配したシャーシ１１７を有する薄型表示装置において、シャーシ１１７の背面の左右方向中央部分に、互いに平行な２本の補強部材１１を、適間隔を隔てて上下方向に取り付ける。また、補強部材１１の両下端部の２箇所または補強部材１１の両上下端部の４箇所に、断面ハット型の補助金具１２をビスにより締結し、補強部材１１と下端の補助金具１２との間に上下方向に形成される空間１８を、２脚タイプのテーブルスタンド１０５の支柱上端の挿入孔とし、該挿入孔に、抜き差し自在に２脚タイプのテーブルスタンド１０５の挿入部２３を挿着する。【選択図】  図４
2006337776.tif 000002
【特許請求の範囲】
【請求項１】
前面に表示用の部材を配し背面に表示装置の駆動及び制御のためのユニットを配したシャーシを有する薄型表示装置において、
前記シャーシの背面に、互いに平行で前記薄型表示装置の上下の方向に複数本の補強部材を適間隔おいて取り付けたことを特徴とする薄型表示装置。
【請求項２】
前面に表示用の部材を配し背面に表示装置の駆動及び制御のためのユニットを配したシャーシを有する薄型表示装置において、
前記シャーシの背面に、互いに平行で前記薄型表示装置のテーブルスタンドの支柱の軸と前記薄型表示装置の厚み方向で軸を同一にする複数本の補強部材を取り付けたことを特徴とする薄型表示装置。
【請求項３】
請求項１又は２に記載の薄型表示装置において、
前記補強部材の断面形状は、コ字形を波状に連続した形状であることを特徴とする薄型表示装置。
【請求項４】
請求項１乃至３のいずれかに記載の薄型表示装置において、
前記複数の補強部材の少なくとも２本の補強部材の下端部、または前記複数の補強部材の少なくとも２本の補強部材の両端部に、断面ハット型の補助金具をビスにより締結し、前記少なくとも２本の補強部材と前記補助金具との間に、テーブルスタンドの支柱挿入空間を設けたことを特徴とする薄型表示装置。
【請求項５】
請求項１乃至３のいずれかに記載の薄型表示装置において、
前記複数の補強部材の少なくとも２本の補強部材の下端部、または前記複数の補強部材の少なくとも２本の補強部材の両端部に、両端部に前記２本の補強部材間ピッチと同一のピッチを有して断面ハット形状の補強部材との取付部を有する補助金具をビスにより締結し、前記補強部材と前記補助金具との間に、テーブルスタンドの支柱挿入空間を設けたことを特徴とする薄型表示装置。
【請求項６】
請求項４または５に記載の薄型表示装置において、
前記補助金具の頂部に内壁にタップ加工を有するボスを固着し、該ボスを壁掛け金具の取付座としたことを特徴とする薄型表示装置。
【請求項７】
請求項４乃至６のいずれかに記載の薄型表示装置において、
前記支柱挿入空間に、抜き差し自在に２脚タイプのテーブルスタンドの支柱を挿着したことを特徴とする薄型表示装置。
【請求項８】
請求項７に記載の薄型表示装置において、
前記２脚タイプのテーブルスタンドは、１枚のベースプレート上に２本の支柱を立設し、該支柱の上端に前記支柱挿入空間への挿入部を形成したことを特徴とする薄型表示装置。
【請求項９】
請求項１乃至８のいずれかに記載の薄型表示装置において、
前記シャーシの前面に反射シートを敷設し、該反射シート面に平行に複数の光源ランプ管を配し、更に該反射シート面に平行で該複数の光源ランプ管の前方に光学シート・液晶パネルの順で適間隔おいて配したことを特徴とする液晶表示装置。
【発明の詳細な説明】
【技術分野】
【０００１】
本発明は、液晶テレビ等の薄型表示装置に関し、詳しくは表示用部材を支えるシャーシの背面に補強部材を設けることにより強度を増して、画面大型化の対応を可能にするとともに、２本脚のテーブルスタンドの取り付けを可能にし、さらに壁掛け金具の取り付けも容易にした薄型表示装置に関する。
【背景技術】
【０００２】
液晶表示パネルを表示素子とする薄型表示装置は、従来のブラウン管を表示素子とする表示装置に比し、薄型、軽量などの優位性を有する半面、該液晶表示パネルの視野角度特性が狭いため、液晶表示面が観視者に正対するよう液晶表示装置には左右へのパンニング調整機構および上下へのチルティング調整機構を具備させる必要があったこと、および該薄型表示装置が有する前記の優位性および技術的先進性を意匠デザイン面からも暗示的に訴求する目的で、該薄型表示装置本体を一本の支柱のみによりテーブルスタンドベースから支持するシンプルなデザインを適用してきた。
【０００３】
しかしながら、近時、液晶表示画面の視野角度特性が著しく改善され、複雑な機構により構成される前記パンニング調整機構およびチルティング調整機構の必要性が乏しくなったこと、および該薄型表示装置の表示画面対角寸法が１メートルを越え、さらなる表示画面サイズの大型化が進展するに伴い、該テーブルスタンド支柱の実質的な強度向上と共に視覚的な安定感を与えるため、該テーブルスタンド支柱を２本で構成する必要が生じてきた。
【０００４】
これら画面大型化に伴う構造上の強度向上を目的としたものとして、特許文献１に記載の「表示装置」が提案されている。これは表示パネルを背面から支持するフレームシャーシの背面に、２本の補強リブを長手方向（水平方向）に配設したものである。それにより、表示装置の長手方向の剛性が増大される。
【特許文献１】特開２００３−２９６４３号公報
【発明の開示】
【発明が解決しようとする課題】
【０００５】
上述した「表示装置」の構造を、近年大型化の著しい液晶テレビに適用して、その大型液晶テレビを２本脚のテーブルスタンド支柱により自立させようとすると、装置全体の薄型化の制限のため、必然的に、液晶テレビのフレームシャーシの下端に、テーブルスタンドの上端を接続する構造となる。しかしながら、フレームシャーシの下端に、単にテーブルスタンドを接続する構造では、大型液晶テレビ全体の重量がその接続部に集中して、フレームシャーシが強度的に不安定となり、別途、テーブルスタンドとの接続部を補強する構造が必要となった。そこで、本発明は、重量のある大型の薄型表示装置のシャーシ構造を補強して、２本脚のテーブルスタンド支柱により自立させることを可能にした薄型表示装置を提案することを目的とした。
【課題を解決するための手段】
【０００６】
上記課題を解決するために、本発明の薄型表示装置は、前面に表示用の部材を配し背面に表示装置の駆動及び制御のためのユニットを配したシャーシを有する薄型表示装置において、前記シャーシの背面に、互いに平行で前記薄型表示装置の上下の方向に少なくとも２本の補強部材を適間隔おいて取り付けたことを特徴とする。また本発明の薄型表示装置は、前面に表示用の部材を配し背面に表示装置の駆動及び制御のためのユニットを配したシャーシを有する薄型表示装置において、前記シャーシの背面に、互いに平行で前記薄型表示装置のテーブルスタンドの支柱の軸と前記薄型表示装置の厚み方向で軸を同一にする少なくとも２本の補強部材を取り付けたことを特徴とする。ここで、前記補強部材の断面形状は、コ字形を波状に連続した形状であることを特徴とする。また、前記補強部材の下端部、または前記補強部材の両端部に断面ハット型の補助金具、または両端部に前記２本の補強部材間ピッチと同一のピッチを有して断面ハット形状の補強部材との取付部を有する補助金具を、ビスにより締結し、前記補強部材と前記補助金具との間に、テーブルスタンドの支柱挿入空間を設け、その支柱挿入空間に、抜き差し自在に２脚タイプのテーブルスタンドの支柱を挿着したことを特徴とする。さらに、前記２脚タイプのテーブルスタンドは、１枚のベースプレート上に２本の支柱を立設し、該支柱の上端に前記支柱挿入空間への挿入部を形成したことを特徴とする。また、前記補助金具の頂部に内壁にタップ加工を有するボスを固着し、該ボスを壁掛け金具の取付座としたことを特徴とする。なお、これら薄型表示装置において、前記シャーシの前面に反射シートを敷設し、該反射シート面に平行に複数の光源ランプ管を配し、更に該反射シート面に平行で且つ該複数の光源ランプ管の前方に光学シート・液晶パネルの順で適間隔おいて配したことで液晶表示装置を構成したことを特徴とする。
【発明の効果】
【０００７】
以上述べたように本発明によれば、シャーシの背面に、互いに平行な２本の補強部材を適間隔を隔てて薄型表示装置の上下の方向に取り付けたことで、シャーシが補強されて、薄型表示装置の大型化にも対応可能となる。また、補強部材の両下端部の２箇所または補強部材の両上下端部の４箇所に断面ハット型の補助金具をビスにより締結し、補強部材と下端の補助金具との間に上下方向に形成される筒状の空間を、２脚タイプのテーブルスタンドの支柱上端の挿入孔としたことで、その挿入孔に、２脚タイプのテーブルスタンドの支柱上端を、抜き差し自在に挿着することが可能となる。また、断面ハット型の補助金具を左右一対として一体化することで、シャーシ剛性を更に強化することが可能となる。さらに、補強部材の両方の上下端部に断面ハット型の補助金具をビスにより締結するとともに、補助金具の頂部に内壁にタップ加工を有するボスを固着し、該ボスを壁掛け金具の取付座としたことで、薄型表示装置の大型化された場合でも、壁掛け金具の取付が容易となる。
【発明を実施するための最良の形態】
【０００８】
以下、図に基づいて本発明の第一の実施形態を説明する。図１は、本発明を液晶テレビに適用した場合の液晶テレビの背面側からの外観図を表し、図２、図３は液晶テレビの内部構成概要図を表す。図１において、１０２は後キャビネット、１０４はスピーカー、１０５は2脚タイプのテーブルスタンドを表す。次に、図２、図３に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１がシート押えアングル１１２に保持され配置されている。
【０００９】
バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。
【００１０】
次に、ランプ１１５をランプホルダ下１１４に所定間隔で設けられたランプ固定溝に左右の位置を合わせて配置した後、ランプホルダ上１１３を位置合わせの後にランプ１１５両端部を被せ、ランプホルダ上１１３とランプホルダ下１１４を固定することで、光源部分が完成する。次に、光学シート１１１が保持されたシート押えアングル１１２をバックライトシャーシ１１７にビス固定しその後に、事前に前キャビネット１０１に固定されている液晶パネルユニット１１０とバックライトシャーシ１１７とをビス固定することで、液晶テレビの表示光学系が前キャビネット１０１付きで完成する。
【００１１】
バックライトシャーシ１１７の背面(液晶パネル１００とは反対の面)には液晶パネル１００の駆動回路ユニットや、ランプ１１５の駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
【００１２】
次に、上述したバックライトシャーシ１１７と、２脚タイプのテーブルスタンド１０５の接続部の構造について説明する。図４は、図１に示された液晶テレビ本体から、後キャビネット１０２を除去し、テーブルスタンド１０５を抜き取った状態のバックライトシャーシ１１７の背面図である。図５は、同じく、図１に示された液晶テレビ本体から抜き取ったテーブルスタンド１０５の背面図である。図６は、図４の補強部材の下端を拡大して示した斜視図である。図７は、図６の補強部材の単体を示す斜視図である。図８は、図６の補助金具の単体を示す斜視図である。
【００１３】
図９は、図５のテーブルスタンド１０５のベースプレートを単体で示した斜視図である。図１０は、図９のベースプレートの下面に締結される底板の平面図である。図１１は、図５のテーブルスタンド１０５の支柱を単体で示した斜視図である。図１２は、図５のテーブルスタンド１０５の支柱の断面図である。図１３は、図５のテーブルスタンド１０５の支柱の挿入部を単体で示した背面図である。図１４は、図５のテーブルスタンド１０５の支柱の挿入部を単体で示した側面図である。図１５は、図５のテーブルスタンド１０５の支柱の挿入部を単体で示した正面図である。図１６は、図５のテーブルスタンド１０５の支柱の挿入部を単体で示した平面図である。
【００１４】
図４および図６において、バックライトシャーシ１１７は板金により形成され、長手方向を略３等分した位置の短手方向に、２本の補強部材１１が、背面側からビスにより締結されている。補強部材１１は、図７に示されるように、コ字形を波状に連続した断面形状からなり、金属板を折曲して形成されるか、またはアルミの押し出しにより成形されたものである。補強部材１１の上下両端部には、断面ハット型の補助金具１２が、ビス１３により締結されている。補強部材１１側の補助金具１２に当接される部分は、突出した頂部の部分であり、その頂部の内側には、バックライトシャーシ１１７に固着されているタップ加工カシメボス１４が位置している。
【００１５】
そのため、補助金具１２は、タップ加工カシメボス１４を介して、バックライトシャーシ１１７にも締結されていることになる。補助金具１２は、図６および図８に示されるように頂部に、タップ加工貫通カシメボス１５が固着されており、このタップ加工貫通カシメボス１５が、液晶テレビを壁掛けで使用する場合の、壁掛け金具を取り付けるねじ孔となり、壁掛け金具を取り付ける取付座が構成される。実際の組立では、補助金具１２の上方に後キャビネット１０２が覆われるため、後キャビネット１０２におけるタップ加工貫通カシメボス１５の位置に形成された４箇所の透孔を介して、壁掛け金具はタップ加工貫通カシメボス１５に螺着される。
【００１６】
補助金具１２の頂部のタップ加工貫通カシメボス１５の上下方向の隣には、タップ加工貫通カシメボス１５よりも一段の低い円筒状の貫通カシメボス１６、１７が固着されている。これは、補強部材１１の下端側に締結された補助金具１２と補強部材１１との間に形成される断面略正方形の空間１８に、後述するテーブルスタンド１０５の挿入部２３が挿入されたとき、挿入部２３の雌ねじ孔３１、３２に、ビスを螺入するための孔となる。
【００１７】
図５において、テーブルスタンド１０５は、１枚のベースプレート２１に、２本の支柱２２を立設し、支柱２２の上端に、挿入部２３を連結したものである。ベースプレート２１は、図９に示されるように、文字Ｈをデフォルメした形状にモールド成形により形成されている。このベースプレート２１の下面に図１０に示された底板２４がビスにより締結される。ベースプレート２１の左右に形成されている孔２５には、図１１および図１２に示される支柱２２が嵌入され、底板２４の透孔２６からビスを挿通して支柱２２を底板２４に締結している。支柱２２はアルミの押し出しにより成形されたものである。なお、図５において、支柱２２の側面に形成されている孔２７は、スピーカー１０４を固定するためのビスを挿入する孔である。
【００１８】
支柱２２の上端には、図１３〜図１６に示される挿入部２３がビスにより締結されている。挿入部２３は、支柱２２の端面形状と同形であって、支柱２２の上端面に当接されるフランジ部２８と、フランジ部２８の上方に突設された断面が変形六角形の角柱部２９とから構成されており、アルミ等のダイキャストにより形成される。角柱部２９が、図６に形成されている空間１８に挿入され、液晶テレビ本体の重量を、フランジ部２８で受けて支える。
【００１９】
図１３において、角柱部２９の背面側の側面には、上下２箇所に、雌ねじ孔３１、３２が形成されており、角柱部２９が空間１８に挿入された後、貫通カシメボス１６、１７からビスが挿入されて、雌ねじ孔３１、３２に螺合することで、テーブルスタンド１０５とバックライトシャーシ１１７が一体化される。工場の組立工程では、テーブルスタンド１０５とバックライトシャーシ１１７が一体化された後に、バックライトシャーシ１１７の背面に後キャビネット１０２が取り付けられるため、補助金具１２や補強部材１１等は、後キャビネット１０２により覆われる。
【００２０】
次に本発明の第二の実施形態を図１７乃至１９とともに説明する。第二の実施形態は、第一の実施の形態においてバックライトシャーシ１１７の短手方向に設けられた２本の補強部材１１上に取付けられる補助金具１２を液晶テレビの長手の方向で左右の対として一体化し、上補助金具２１０と下補助金具３１０として補強部材１１上に取り付けた実施の形態であり、スタンドの支柱２２との嵌着等は同一であることから、上補助金具２１０と下補助金具３１０の取付けに関しての説明とする。
【００２１】
図１７は、図１に示された液晶テレビ本体から、後キャビネット１０２を除去し、テーブルスタンド１０５を抜き取った状態のバックライトシャーシ４１７の背面図である。図１８は上補強部材の斜視図である。図１９は下補強部材の斜視図である。図１８において、２１０は上補強部材であり、２１１はバックライトシャーシ取付面、２１２はボスカシメ面、２１３はバックライトシャーシ取付孔、２１４はキャビネット取付孔、２１５はタップ加工貫通カシメボス、２１８は補強部材取付面である。左右のタップ加工貫通カシメボス２１５間のピッチは２本の敷設補強部材１１のピッチに一致しており、補強部材取付面２１８に設けられたビス孔と補強部材１１に設けられたビス孔が位置あわせされてビスにてバックライトシャーシ４１７上に設けられたカシメボスに共締めされる。図１９においては、３１０は下補強部材であり、３１１はバックライトシャーシ取付面、３１２はボスカシメ面、３１３はバックライトシャーシ取付孔、３１４はキャビネット取付孔、３１５はタップ加工貫通カシメボス、３１６と３１７は貫通カシメボス、３１８は補強部材取付面である。左右のタップ加工貫通カシメボス３１５間のピッチは２本の敷設補強部材１１のピッチに一致しており、補強部材取付面３１８に設けられたビス孔と補強部材１１に設けられたビス孔が位置あわせされてビスにてバックライトシャーシ４１７上に設けられたカシメボスに共締めされる。図１８、１９に示すように、上補助金具２１０と下補助金具３１０は、板金の両端が断面ハット型に形成された金具である。
【００２２】
図１７において、バックライトシャーシ４１７は板金により形成されており、組み立て順としては、先ず、長手方向を略３等分した位置の短手方向に、２本の補強部材１１を背面側からビスにより締結する。補強部材１１は、図７に示されるように、コ字形を波状に連続した断面形状からなり、金属板を折曲して形成されるか、またはアルミの押し出しにより成形されたものである。次に２本の補強部材１１の上下端部に上補助金具２１０と下補助金具３１０を位置合わせした後に、補強部材取付面２１８、３１８に設けられたビス孔と補強部材１１に設けられたビス孔の位置あわせを行い、ビスにてバックライトシャーシ４１７上に設けられたタップ加工カシメボスに共締めする。次に、バックライトシャーシ取付孔２１３と３１３を介してバックライトシャーシ４１７とビス固定することでバックライトシャー組み立てが完了する。なお、キャビネット取付孔２１４、３１４は後キャビネット１０２固定用のビス孔である。
【００２３】
上補助金具２１０と下補助金具３１０のボスカシメ面２１３、３１２にはタップ加工貫通カシメボス２１５、３１５が固着されており、このタップ加工貫通カシメボス２１５、３１５が、液晶テレビを壁掛けで使用する場合の、壁掛け金具を取り付けるねじ孔となり、壁掛け金具を取り付ける取付座が構成される。実際の組立では、上補助金具２１０と下補助金具３１０の上方に後キャビネット１０２が覆われるため、後キャビネット１０２におけるタップ加工貫通カシメボス２１５、３１５の位置に形成された４箇所の透孔を介して、壁掛け金具はタップ加工貫通カシメボス２１５、３１５に螺着される。
【００２４】
下補助金具３１０のボスカシメ面３１２に設けられたタップ加工貫通カシメボス３１５の上下方向の隣には、タップ加工貫通カシメボス３１５よりも一段の低い円筒状の貫通カシメボス３１６、３１７が固着されている。これは、補強部材１１の下端側に締結された下補助金具３１０と補強部材１１との間に形成される断面略正方形の空間に、後述するテーブルスタンド１０５の挿入部２３が挿入されたとき、挿入部２３の雌ねじ孔３１、３２に、ビスを螺入するための孔となる。
【００２５】
工場の組立工程では、テーブルスタンド１０５とバックライトシャーシ４１７が一体化された後に、バックライトシャーシ４１７の背面に後キャビネット１０２が取り付けられるため、上補助金具２１０と下補助金具３１０や補強部材１１等は、後キャビネット１０２により覆われる。このように第一の実施の形態における補助金具を左右一体にして構成し、且つ補助金具の中央部分と両端部分をバックライトシャーシにビス固定することで、バックライトシャーシ剛性を一段と高めることが可能となる。
【００２６】
以上のように、第一、第二の実施の形態で構成された液晶テレビは、設置の際に、床置きにしてテーブルスタンドにより自立させる場合は、上述したように、テーブルスタンド１０５によりバックライトシャーシ１１７、４１７を支えた形態で使用することができる。ここで、ユーザの都合により床置きにして使用していた液晶テレビを壁掛けに変更したい場合は、テーブルスタンド１０５をバックライトシャーシ１１７、４１７に締結していた４本のビスを外すことで、テーブルスタンド１０５を取り外すことができる。
【００２７】
テーブルスタンド１０５を取り外したら、補助金具１２や下補助金具３１０のタップ加工貫通カシメボス１５、３１５の４箇所に壁掛け金具（図示せず）を取り付けて、壁掛け式とすることができる。また、壁掛けから床置きに変更する場合も、同様に、テーブルスタンド１０５を取り付け、壁掛け金具を外すことで変更可能となる。このように本発明の液晶テレビは、ユーザの都合や好みに応じて、床置きと壁掛けのいずれにも対応可能にしたものである。なお、壁掛け金具の取り付けビスのピッチをVESA規格等の規格に準拠する場合は、補助金具の取り付け位置は常に補強金具の両端部に位置されるものではなく、壁掛け用のボス位置が規格ピッチに一致するように、補助金具取り付け位置も調整されることになる。
【産業上の利用可能性】
【００２８】
本発明は、バックライトシャーシを備えた液晶テレビ等の液晶表示装置以外に、シャーシ構造を備えた他のＰＤＰテレビ等の薄型表示装置にも利用可能である。
【図面の簡単な説明】
【００２９】
【図１】本発明に係る液晶テレビの背面側からの外観図である。
【図２】本発明に係る液晶テレビの内部構成を示す斜視図である。
【図３】本発明に係る液晶テレビの内部構成を示す斜視図である。
【図４】第一の実施形態において、図１の液晶テレビ本体から後キャビネットを除去しテーブルスタンドを抜き取った状態のシャーシの背面図である。
【図５】本発明に係る液晶テレビ本体から抜き取ったテーブルスタンドの背面図である。
【図６】第一の実施形態において、図４の補強部材の下端の拡大斜視図である。
【図７】本発明に係る補強部材の単体を示す斜視図である。
【図８】第一の実施形態における補助金具の単体を示す斜視図である。
【図９】本発明に係るテーブルスタンドのベースプレートを単体で示す斜視図である。
【図１０】本発明に係るベースプレートの下面に締結される底板の平面図である。
【図１１】本発明に係るテーブルスタンドの支柱を単体で示した斜視図である。
【図１２】本発明に係るテーブルスタンドの支柱の断面図である。
【図１３】本発明に係るテーブルスタンドの支柱の挿入部を単体で示す背面図である。
【図１４】本発明に係るテーブルスタンドの支柱の挿入部を単体で示す側面図である。
【図１５】本発明に係るテーブルスタンドの支柱の挿入部を単体で示す正面図である。
【図１６】本発明に係るテーブルスタンドの支柱の挿入部を単体で示す平面図である。
【図１７】第二の実施形態において、図１の液晶テレビ本体から後キャビネットを除去しテーブルスタンドを抜き取った状態のシャーシの背面図である。
【図１８】第二の実施形態における上補助金具の単体を示す斜視図である。
【図１９】第二の実施形態における下補助金具の単体を示す斜視図である。
【符号の説明】
【００３０】
１１  補強部材
１２  補助金具
１３  ビス
１４  タップ加工カシメボス
１５  タップ加工貫通カシメボス
１６、１７  貫通カシメボス
１８  空間
２１  ベースプレート
２２  支柱
２３  挿入部
２４  底板
２５  孔
２６  透孔
２７  孔
２８  フランジ部
２９  角柱部
３１、３２  雌ねじ孔
１００  液晶パネル
１０１  前キャビネット
１０２  後キャビネット
１０４  スピーカー
１０５  テーブルスタンド
１１０  液晶パネルユニット
１１１  光学シート
１１２  シート押えアングル
１１３  ランプホルダ上
１１４  ランプホルダ下
１１５  ランプ
１１６  反射シート
１１７  バックライトシャーシ
２１０  上補助金具
３１０  下補助金具
４１７  バックライトシャーシ
【図１】
2006337776.tif 000003
【図２】
2006337776.tif 000004
【図３】
2006337776.tif 000005
【図４】
2006337776.tif 000006
【図５】
2006337776.tif 000007
【図６】
2006337776.tif 000008
【図７】
2006337776.tif 000009
【図８】
2006337776.tif 000010
【図９】
2006337776.tif 000011
【図１０】
2006337776.tif 000012
【図１１】
2006337776.tif 000013
【図１２】
2006337776.tif 000014
【図１３】
2006337776.tif 000015
【図１４】
2006337776.tif 000016
【図１５】
2006337776.tif 000017
【図１６】
2006337776.tif 000018
【図１７】
2006337776.tif 000019
【図１８】
2006337776.tif 000020
【図１９】
2006337776.tif 000021